(57)【要約】【課題】尻栓を取り外すことなく、穂先竿のみを容易且つ迅速に交換することができる振出竿用の尻栓を提供することを課題とする。【解決手段】元竿の内部に、中間竿及び該中間竿よりも小径の穂先竿が、引き出し可能となるように元竿の竿元側に形成された開口から収納されてなる振出竿用の尻栓において、前記元竿の開口を閉塞すべく元竿に着脱自在に装着される尻栓本体を備え、該尻栓本体には、元竿の内部と尻栓本体の外部とを連通するように、元竿の長手方向に向けて抜出孔部が形成され、該抜出孔部の内周径は、穂先竿の通過を許容すべく穂先竿の最大直径よりも大きく設定され、且つ、穂先竿を支持する中間竿の最大直径よりも小さく設定され、前記抜出孔部を開閉自在に閉塞する閉塞体が設けられたことにある。【選択図】      図１
2004208653.tif 000002
【特許請求の範囲】
【請求項１】
元竿の内部に、中間竿及び該中間竿よりも小径の穂先竿が、引き出し可能となるように元竿の竿元側に形成された開口から収納されてなる振出竿用の尻栓において、前記元竿の開口を閉塞すべく元竿に着脱自在に装着される尻栓本体を備え、該尻栓本体には、元竿の内部と尻栓本体の外部とを連通するように、元竿の長手方向に向けて抜出孔部が形成され、該抜出孔部の内周径は、穂先竿の通過を許容すべく穂先竿の最大直径よりも大きく設定され、且つ、穂先竿を支持する中間竿の最大直径よりも小さく設定され、前記抜出孔部を開閉自在に閉塞する閉塞体が設けられたことを特徴とする振出竿用の尻栓。
【請求項２】
元竿の内部に、中間竿及び該中間竿よりも小径の穂先竿が、引き出し可能となるように元竿の竿元側に形成された開口から収納されてなる振出竿用の尻栓において、前記元竿の開口を閉塞すべく元竿に着脱自在に装着される尻栓本体を備え、該尻栓本体には、元竿の内部と尻栓本体の外部とを連通するように、元竿の長手方向に向けて抜出孔部が形成され、該抜出孔部は、穂先竿のみの通過を許容する形状に設定され、前記抜出孔部を開閉自在に閉塞する閉塞体が設けられたことを特徴とする振出竿用の尻栓。
【請求項３】
前記閉塞体は、前記抜出孔部の内周面に形成された雌ねじ部に螺合されるボルトからなる請求項１又は２に記載の振出竿用の尻栓。
【発明の詳細な説明】
【０００１】
【発明の属する技術分野】
本発明は、穂先竿を交換可能な振出竿用の尻栓に関する。
【０００２】
【従来の技術】
従来、複数の竿体が引き出し可能に収納された振出竿が知られている。この振出竿は、竿元側の竿体（いわゆる元竿）、中間竿や穂先竿の互いに直径の異なる複数本の竿体から構成され、竿元側の竿体ほどその直径が大きくなっている。そして、元竿の竿元側に形成された開口から、竿先側の中間竿や穂先竿を順次挿入し、更に元竿にその開口を閉塞すべく尻栓を着脱自在に装着することにより、コンパクトな状態にすることができる。
【０００３】
釣りを行う際には、収納されている各竿体を順次引き出していって使用するが、各竿体は抜けないようになっており、元竿から穂先竿まで一直線に連結された状態で振出竿が使用可能となる。かかる振出竿は、元竿に比し、穂先竿は非常に細くなっていることから、折れたり破損したりするおそれがある。このため、使用済みの穂先竿と新たな穂先竿とを交換する必要がある。
【０００４】
【発明が解決しようとする課題】
前記従来の振出竿において、穂先竿を交換する際には、尻栓を元竿から取り外した後に、元竿の開口から穂先竿を抜き出すのであるが、尻栓全体を取り外しているため、穂先竿と共に他の竿体も一緒に出てしまうことになり、穂先竿の交換作業が煩雑で面倒であった。
【０００５】
本発明は、上記問題点に鑑みてなされたもので、尻栓を取り外すことなく、穂先竿のみを容易且つ迅速に交換することができる振出竿用の尻栓を提供することを課題とする。
【０００６】
【課題を解決するための手段】
本発明は、上記課題を解決するためになされたもので、元竿の内部に、中間竿及び該中間竿よりも小径の穂先竿が、引き出し可能となるように元竿の竿元側に形成された開口から収納されてなる振出竿用の尻栓において、前記元竿の開口を閉塞すべく元竿に着脱自在に装着される尻栓本体を備え、該尻栓本体には、元竿の内部と尻栓本体の外部とを連通するように、元竿の長手方向に向けて抜出孔部が形成され、該抜出孔部の内周径は、穂先竿の通過を許容すべく穂先竿の最大直径よりも大きく設定され、且つ、穂先竿を支持する中間竿の最大直径よりも小さく設定され、前記抜出孔部を開閉自在に閉塞する閉塞体が設けられたことにある。
【０００７】
そして、使用済みの穂先竿と新たな穂先竿とを交換する際には、閉塞体を尻栓本体から取り除いて抜出孔部を開放する。最も小径の穂先竿のみが抜出孔部を通過できるため、使用済みの穂先竿のみを抜出孔部から容易且つ迅速に抜き出すことができ、尻栓本体を元竿から取り外す必要はない。
次に、新たな穂先竿を、抜出孔部を介して元竿の内部に挿入した後に、再び抜出孔部を閉塞体で閉塞する。
【０００８】
また、元竿の内部に、中間竿及び該中間竿よりも小径の穂先竿が、引き出し可能となるように元竿の竿元側に形成された開口から収納されてなる振出竿用の尻栓において、前記元竿の開口を閉塞すべく元竿に着脱自在に装着される尻栓本体を備え、該尻栓本体には、元竿の内部と尻栓本体の外部とを連通するように、元竿の長手方向に向けて抜出孔部が形成され、該抜出孔部は、穂先竿のみの通過を許容する形状に設定され、前記抜出孔部を開閉自在に閉塞する閉塞体が設けられたことある。
【０００９】
そして、使用済みの穂先竿と新たな穂先竿とを交換する際には、閉塞体を尻栓本体から取り除いて抜出孔部を開放すると、尻栓本体を元竿から取り外さなくても、使用済みの穂先竿のみを抜出孔部から容易且つ迅速に抜き出すことができる。
【００１０】
前記閉塞体は、前記抜出孔部の内周面に形成された雌ねじ部に螺合されるボルトからなるのが好ましい。
【００１１】
【発明の実施の形態】
以下、本発明の実施形態の一例について図面を参照して説明する。図１〜図３は本発明の一実施の形態を示し、図３に示すように、本実施形態にかかる振出竿は、元竿１と、元竿１の内部に収納可能な元上竿２と、元上竿２の内部に収納可能な複数の中間竿３…と、中間竿３の内部に収納可能な穂先竿４とを有している。各竿体１〜４の直径は、元竿１が最も大きく、中間竿３…から穂先竿４に向けて順次小さくなっていると共に、各竿体１〜４はそれぞれわずかに先細りの筒状に形成されている。
【００１２】
前記元竿１の後端部（竿元側）周面にはグリップ９が外嵌されており、元竿１の後端に尻栓５が着脱自在に装着されている。尻栓５は、図１及び図２に示すように、合成樹脂製や金属製等の尻栓本体７と、ゴムや合成樹脂等からなる弾性体からなり且つ尻栓本体７に嵌合されたキャップ８と、閉塞体１８とを有している。
【００１３】
前記尻栓本体７は、元竿１の後端部に形成された開口１ａの内周面に嵌合された尻リング１０の内周に形成された雌ねじ部１１に着脱自在に螺合される嵌合部１２を有している。前記尻栓本体７及びキャップ８の中央には、元竿１の内部と尻栓５の外部とを連通するように、元竿１の長手方向に向けて抜出孔部１５が形成されている。該抜出孔部１５の内周径Ｄ１は、図２に示す如く前記穂先竿４の外周の最大直径（通常は、穂先竿４の基部の直径が該当する。）Ｄ２よりも大きく、且つ、穂先竿４を支持する中間竿（２番竿体）３ａの最大直径Ｄ３よりも小さく設定されている。
【００１４】
従って、抜出孔部１５は、穂先竿４の通過を許容するが、２番竿体３ａ及び２番竿体３ａよりも太い中間竿３…の通過を阻止するようになっている。尚、前記尻栓本体７の内面７ａで且つ抜出孔部１５の周縁部には、穂先竿４を抜出孔部１５に案内すべく、テーパー面７ｂが形成されているのが好ましい。
【００１５】
前記尻栓本体７の抜出孔部１５の内周面には、雌ねじ部１６が形成されており、該雌ねじ部１６には、前記閉塞体としてのボルト１８が、着脱自在に螺合されている。ボルト１８のヘッド部１８ａは、キャップ８の中央に形成された凹部１９に嵌合され、先端の一部分が、摘み易いようにキャップ８の外面８ａから突出するようになっている。
【００１６】
以上の構成からなる振出竿において、前記元竿１に、元上竿２、中間竿３…、２番竿体３ａ及び穂先竿４を順次収納する収納作業や、元竿１から元上竿２、中間竿３…、２番竿体３ａ及び穂先竿４を順次抜いていく分解作業は、尻栓５を元竿１から取り外し行うのは従来と同様である。
【００１７】
次に、穂先竿４を交換する場合について説明する。先ず、前記ボルト１８を緩めて、元竿１に装着されている尻栓本体７及びキャップ８から取り除くと共に、穂先竿４が上向きとなるように、振出竿を傾斜または垂直状態にする。このとき、元上竿２、中間竿３…、２番竿体３ａ及び穂先竿４は、元竿１側に収納されることとなる。尻栓５の抜出孔部１５の内周径Ｄ１は、前記穂先竿４の外周の最大直径Ｄ２よりも大きくなっているため、穂先竿４は抜出孔部１５を通過する。
【００１８】
一方、尻栓５の抜出孔部１５の内周径Ｄ１は、２番竿体３ａの最大直径Ｄ３よりも小さく設定されているので、元上竿２及び２番竿体３ａを含む中間竿３…は、抜出孔部１５を通過できない。従って、前記穂先竿４のみを抜出孔部１５から通過させることができるため、尻栓５を取り外すことなく、使用済の穂先竿４を元竿１から抜き出すことができる（図２参照）。
【００１９】
次に、新たな穂先竿４を、前記元竿１に装着されている尻栓５の抜出孔部１５から元竿１の内部に挿通し、２番竿体３ａ内に収納する。その後に、前記ボルト１８を抜出孔部１５に螺合して抜出孔部１５を閉塞することにより、穂先竿の交換作業が完了する。
【００２０】
尚、前記実施の形態では、閉塞体１８としてボルトを例示して、閉塞体１８を抜出孔部１５に螺合することにより尻栓本体７に装着したが、抜出孔部１５に雌ねじ部を形成することなく、ピンからなる閉塞体１８を抜出孔部１５に押し込んで装着する構成であっても良い。
【００２１】
本発明は、上記の実施の形態に限定されるものではなく、例えば、図４及び図５に示すものであっても良い。具体的には、前記尻栓５の尻栓本体７は、円柱状を呈しており、抜出孔部１５を中心にして周方向には、複数の挿通孔２１が形成されている。前記閉塞体１８は、例えば合成樹脂材料から成形されており、前記グリップ９の端面の直径と略同等の直径を有する円板状の閉塞体本体２２と、該閉塞体本体２２に一体的に接続され且つ前記挿通孔２１にそれぞれ摺動自在に挿通された複数の連結杆２３とを備えている。
【００２２】
前記閉塞体本体２２は、元竿１の開口１ａの内周面に着脱自在に嵌合する小径の嵌合部２２ａを有している。前記連結杆２３は任意の方向に湾曲できるように可撓性を有しており、その長さは、図５（イ）、（ロ）に示すように、抜出孔部１５が完全に露出するまで閉塞体本体２２を尻栓本体７の直径方向に移動できる長さに設定されている。
尚、各連結杆２３の先端には、その先端部を膨出させてなるストパー部２５が形成されている。
【００２３】
本実施の形態の尻栓５は、閉塞体１８を所定の位置（交換位置）まで移動させることにより、前記実施の形態と同様に、使用済みの穂先竿４を抜出孔部１５から抜き出した後に、新たな穂先竿４を尻栓５の抜出孔部１５から元竿１内部に収納することができる。穂先竿４は、閉塞体１８が交換位置にあるとき、連結杆２３同士の間を挿通できるので、交換時に連結杆２３が支障となることはない。
【００２４】
前記尻栓５は、その連結杆２３が任意の方向に湾曲できるように可撓性を有しているものを例示したが、連結杆２３は撓ないもの又は撓み難いものであっても良く、かかる場合には、閉塞体本体２２を真っ直ぐ（元竿１の長手方向）に引き出し、穂先竿４を元竿１に対して傾斜させることより、連結杆２３の間から挿脱するようにしても良い。尚、穂先竿４自体は可撓性を有することから、連結杆２３を撓ませなくても、穂先竿４を湾曲させて元竿１から容易に抜き出したり、元竿１に収納したりすることが可能である。
【００２５】
前記尻栓５の抜出孔部１５の形状は、円形に限らず、半円形等の非円形であっても良く、抜出孔部１５は、穂先竿４のみの通過を許容する形状ものであれば任意に設定可能である。
【００２６】
【発明の効果】
本発明は、以上のように構成されているので、穂先竿を破損等した場合には、尻栓を取り外すことなく、その使用済みの穂先竿のみを容易且つ迅速に新たな穂先竿と交換することができ、非常に便利である。
【図面の簡単な説明】
【図１】本発明の一実施の形態を示し、（イ）は振出竿の竿元側を示し、閉塞体で抜出孔部を閉塞した状態の断面図、（ロ）は背面図である。
【図２】同閉塞体を抜出孔部から外した状態の要部を示す断面図である。
【図３】同振出竿の全体の概略図である。
【図４】本発明の他の実施形態の竿元側を示し、閉塞体で抜出孔部を閉塞した状態の断面図である。
【図５】同閉塞体を抜出孔部から外した状態を示し、（イ）は要部を示す断面図、（ロ）は背面図である。
【符号の説明】
１…元竿（竿体）、１ａ…開口、３…中間竿（竿体）、３ａ…２番竿体（中間竿）、４…穂先竿、５…尻栓、７…尻栓本体、１５…抜出孔部、１８…閉塞体、１６…雌ねじ部
【図１】
2004208653.tif 000003
【図２】
2004208653.tif 000004
【図３】
2004208653.tif 000005
【図４】
2004208653.tif 000006
【図５】
2004208653.tif 000007